(57)【要約】【課題】  本発明は回転ドラム内で生コンクリート材料を効率よく混練でき、かつ十分な強度が得られ、安価に設置することができるミキサ車を得るにある。【解決手段】  生コンクリートを製造することができるトラックの荷台に、内壁面に螺旋状のブレードが固定された駆動装置で正・逆回転させることができる回転ドラムを備えるミキサ車において、回転ドラムの内底中央部に固定された、該回転ドラムの内側へ突出するシャフトと、この回転ドラムの内側へ突出するシャフトに回転可能に取付けられた、該回転ドラムの内壁面方向へ突出する支持バーと、この支持バーに下端部が固定され、上端部が回転ドラムの出入口側の荷台に固定された支持台に固定された支柱と、この支柱の下部寄りの部位に取付けられた、回転ドラムの回転で混練されながら内底方向へ移動してくる混練材料を、該移動方向とは逆方向へ移動させることができる少なくとも１枚以上の撹拌ブレードとでミキサ車を構成している。【選択図】  図１
2015024522.tif 000002
【特許請求の範囲】
【請求項１】
生コンクリートを製造することができるトラックの荷台に、内壁面に螺旋状のブレードが固定された駆動装置で正・逆回転させることができる回転ドラムを備えるミキサ車において、前記回転ドラムの内底中央部に固定された、該回転ドラムの内側へ突出するシャフトと、この回転ドラムの内側へ突出するシャフトに回転可能に取付けられた、該回転ドラムの内壁面方向へ突出する支持バーと、この支持バーに下端部が固定され、上端部が前記回転ドラムの出入口側の荷台に固定された支持台に固定された支柱と、この支柱の下部寄りの部位に取付けられた、前記回転ドラムの回転で混練されながら内底方向へ移動してくる混練材料を、該移動方向とは逆方向へ移動させることができる少なくとも１枚以上の撹拌ブレードを備えたことを特徴とするミキサ車。
【請求項２】
支持バーはシャフトの両側へ直線状あるいはへ字状に突出するものが使用され、両端部には下端部が固定され、上端部が回転ドラムの出入口側の荷台に固定された支持台に固定された一対の支柱が設けられていることを特徴とする請求項１記載のミキサ車。
【発明の詳細な説明】
【技術分野】
【０００１】
本発明は生コンクリート材料を回転ドラム内へ収納し、輸送中に混練あるいは使用現場で混練して生コンクリートを製造することができるミキサ車に関する。
【背景技術】
【０００２】
従来、ミキサ車は生コンクリート製造工場から回転ドラム内に生コンクリートを収納し、撹拌しながら使用現場へ輸送する場合に使用されている。
しかしながら、生コンクリート製造工場と使用現場が比較的に近い場合は問題が生じないが、遠い場合や交通渋滞が生じた場合、生コンクリートが品質劣化する等の不具合が生じるという欠点があった。
【０００３】
この欠点を解消するため、回転ドラム内に生コンクリート材料を投入し、使用現場まであらかじめ設定された時間で行けるところで、所定量の水を回転ドラム内へ投入して回転ドラムを回転させて混練しながら使用現場へ運ぶミキサ車が、本出願人によって考えられているが、回転ドラムの内底中央部に固定された軸受に、回転可能あるいは固定された回転軸に複数枚の撹拌ブレードを取付けた混練促進装置を備えたミキサ車が考えられている。
【０００４】
しかし、このように構成されたミキサ車は構造が複雑で、コスト高になるとともに、回転ドラムの中心を中心とした回転軸に取付けられた複数枚の撹拌ブレードで、回転ドラムで混練される生コンクリート材料の混練を促進するが、複数枚の撹拌ブレードの先端部が回転ドラムの内壁面側の近くまで位置させる長さにすると、該複数枚の撹拌ブレードに大きな力が加わり、損傷しやすいという欠点があり、短い長さの複数枚の撹拌ブレードを用いると、生コンクリートを十分に混練することができないという欠点があった。
【先行技術文献】
【特許文献】
【０００５】
【特許文献１】特開２０１２−２２８８３０号公報
【発明の概要】
【発明が解決しようとする課題】
【０００６】
本発明は以上のような従来の欠点に鑑み、回転ドラム内で生コンクリート材料を効率よく混練でき、かつ十分な強度が得られ、安価に設置することができるミキサ車を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は生コンクリートを製造することができるトラックの荷台に、内壁面に螺旋状のブレードが固定された駆動装置で正・逆回転させることができる回転ドラムを備えるミキサ車において、前記回転ドラムの内底中央部に固定された、該回転ドラムの内側へ突出するシャフトと、この回転ドラムの内側へ突出するシャフトに回転可能に取付けられた、該回転ドラムの内壁面方向へ突出する支持バーと、この支持バーに下端部が固定され、上端部が前記回転ドラムの出入口側の荷台に固定された支持台に固定された支柱と、この支柱の下部寄りの部位に取付けられた、前記回転ドラムの回転で混練されながら内底方向へ移動してくる混練材料を、該移動方向とは逆方向へ移動させることができる複数枚の撹拌ブレードとでミキサ車を構成している。
【発明の効果】
【０００９】
以上の説明から明らかなように、本発明にあっては次に列挙する効果が得られる。
（１）請求項１により、回転ドラムの回転で混練されながら、該回転ドラムの内底面方向に移動してくる混練材料を中央部のシャフトより支持バーを介して設けられた支柱に取付けられた複数枚の撹拌ブレードによって、回転ドラムによっての混練材料の移動方向とは逆方向に混練材料を移動させることができる。
したがって、回転ドラムの中心より壁面側に位置する複数枚の撹拌ブレードによって、回転ドラムの壁面側に寄っている混練材料を効率よく混練することができ、効率よく生コンクリートを製造することができる。
（２）前記（１）により、複数枚の撹拌ブレードが取付けられた支柱はシャフトに回転可能に取付けられた支持バーと、回転ドラムの出入口側の荷台あるいは荷台に固定された支持台に固定されているので、従来のように支柱を回転駆動させる駆動装置が不要で、構造が簡単で、安価に製造することができる。
（３）前記（１）により、支持バーも撹拌ブレードの役割をさせることができる。
したがって、さらに効率よく回転ドラムの内底面へ移動してくる混練材料を混練することができる。
（４）請求項２も前記（１）〜（３）と同様な効果が得られるとともに、２個の支柱の複数枚の撹拌ブレードで、より効率よく混練材料を混練することができる。
【図面の簡単な説明】
【００１０】
【図１】本発明を実施するための第１の形態の側面図。
【図２】本発明を実施するための第１の形態の平面図。
【図３】本発明を実施するための第１の形態の一部破断面図。
【図４】図２の４−４線に沿う断面図。
【図５】本発明を実施するための第１の形態の支柱と撹拌ブレードの取付け状態の説明図。
【図６】本発明を実施するための第１の形態の回転ドラムに生コンクリート材料を投入する場合の説明図。
【図７】本発明を実施するための第２の形態の側面図。
【図８】本発明を実施するための第２の形態の平面図。
【図９】図８の９−９線に沿う断面図。
【図１０】本発明を実施するための第３の形態の側面図。
【図１１】本発明を実施するための第３の形態の平面図。
【図１２】本発明を実施するための第３の形態の支持バーの説明図。
【発明を実施するための形態】
【００１１】
以下、図面に示す本発明を実施するための形態により、本発明を詳細に説明する。
【００１２】
図１ないし図６に示す本発明を実施するための第１の形態において、１は使用現場に着くまでに生コンクリートを製造したり、使用現場で生コンクリートを製造することができる本発明のミキサ車で、このミキサ車１はトラック２と、このトラック２の荷台３の前方の中央部に固定された油圧モータ支持台４と、この油圧モータ支持台４に取付けられた油圧モータ５と、前記荷台３の後方の両端部寄りの部位に固定された上面にローラ６、６を有する回転ドラム支持台７、７と、一端の中央部より外方へ突出する部位のシャフト１１ａが前記油圧モータ５の駆動軸８に取付けられ、他端部寄りの部位が前記回転ドラム支持台７、７のローラ６、６と接するローラリング９で回転可能に取付けられた内壁面に螺旋状のブレード１０が固定された回転ドラム１１と、この回転ドラム１１の他端部の出入口１２内へセメント、骨材（砂、砂利等）、混和材料等の生コンクリート材料１３を供給する、前記荷台３に固定された支持台１４に取付けられたホッパー１５と、前記回転ドラム１１の出入口１２より排出される生コンクリート１６を受けて外部へ排出する排出シュート１７と、前記荷台３の前方部位に取付けられた、生コンクリートを前記回転ドラム１１内で製造する時に、該回転ドラム１１内へ計量された供給される計量器１８付の計量混練水タンク１９と、前記回転ドラム１１の内側へ突出するシャフト１１ｂに回転可能に取付けられた、該回転ドラム１１の内壁面方向へ突出する支持バー２０と、この支持バー２０に下端部が固定され、上端部が前記回転ドラム１１の出入口１２側の荷台３に固定された支持台１４に固定された角パイプを用いた支柱２１と、この支柱２１の下部寄りの部位に取付けられた、前記回転ドラム１１の回転で混練されながら内底面方向へ移動してくる混練材料２２を、該移動方向とは逆方向へ移動させることができる少なくとも１枚以上の撹拌ブレード２３とで構成されている。
【００１３】
上記構成のミキサ車１は、輸送袋２４にあらかじめ設定された砂と砂利の混合物、砂、砂利、混和剤等の混合物あるいは、これらの混合物にセメントを混合した生コンクリート材料２５を、図６に示すように輸送袋２４をクレーン２６等で吊り上げ、ホッパー１５上に位置させ、輸送袋２４の底面を開放してホッパー１５を介して回転ドラム１１内に生コンクリート材料２５を投入する。
【００１４】
このミキサ車１の回転ドラム１１内への生コンクリート材料２５の投入は、生コンクリート製造工場で行なってもよく、あるいは生コンクリートの使用現場あるいはこの使用現場まで品質の劣化しない保管場所で行なってもよい。
【００１５】
回転ドラム１１内に生コンクリート材料２５を投入した後、生コンクリートの使用現場が近い場合には、計量器１８で計量して所定量の水２７を計量混練水タンク１９より回転ドラム１１内へ供給する。
【００１６】
生コンクリートの使用現場が遠く、時間がかかる場合、生コンクリートの使用現場まであらかじめ設定された時間で行ける所まで走行し、その所で所定量の水２７を計量混練水タンク１９より回転ドラム１１内へ供給する。
【００１７】
この状態で回転ドラム１１を油圧モータ５で正・逆回転させることで、回転ドラム１１内の生コンクリート材料２５と水２７が混練されながら螺旋状のブレード１０によって、回転ドラム１１の内底面方向へ移動される。
【００１８】
この混錬されながら回転ドラム１１の内底面方向の移動によって、支柱バー２１で左右に分離されるとともに、少なくとも１枚以上の撹拌ブレード２３によって、該移動方向とは逆方向へ移動させ、効率よく混練する。
このため、比較的短時間で生コンクリート材料２５と水２７とを強制混練して生コンクリート１６を製造することができる。
回転ドラム１１内で製造された生コンクリート１６は、現場で回転ドラム１１を逆回転させることにより、螺旋状のブレード１０で出入口１２より排出シュート１７を介して外部へ排出される。
【００１９】
なお、前記支持バー２０の後部側が前方向となるように傾斜させることにより、支持バー２０でも混練を効率よくできる。
【００２０】
[発明を実施するための異なる形態]
次に、図７ないし図１２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図７ないし図９に示す本発明を実施するための第２の形態において、前記本発明を実施するための第１の形態と主に異なる点は、回転ドラム１１の内側へ突出するシャフト１１ｂの両側へ直線状あるいはへ字状、本発明の実施の形態ではへ字状に突出する支持バー２０Ａを用いるとともに、該支持バー２０Ａの両端部に下部が固定され、上端部が回転ドラム１１の出入口１２側の荷台３に固定した支持台１４に固定した一対の支柱２１、２１を設けた点で、このように構成されたミキサ車１Ａにしても、前記本発明を実施するための第１の形態と同様な効果が得られるとともに、一対の支柱２１、２１、この一対の支柱２１、２１にそれぞれ取付けられた少なくとも１枚以上の撹拌ブレード２３、２３によって、さらに効率よく生コンクリート材料２５と水２７とを混練することができる。
【００２２】
図１０ないし図１２に示す本発明を実施するための第３の形態において、前記本発明を実施するための第１の形態と主に異なる点は、後部側に混練されながら回転ドラム１１の内底面へ移動してくるものを逆方向へ移動させることができる回転ドラム１１の出入口１２方向へ傾斜させた傾斜ブレード２８が形成された支持バー２０Ｂを用いた点で、このような支持バー２０Ｂを用いて構成したミキサ車１Ｂにしても、前記本発明を実施するための第１の形態と同様な作用効果が得られるとともに、支持バー２０Ｂの傾斜ブレード２８で、より効率よく混練することができる。
【００２３】
なお、前記本発明の各実施の形態では回転ドラム１１の回転駆動は油圧モータ５で行うもの付いて説明したが、本発明はこれに限らず、電気式で駆動させるものを用いても良い。
【産業上の利用可能性】
【００２４】
本発明は生コンクリート材料と水とを混練しながら走行して、生コンクリートを製造することができるミキサ車を製造する産業で利用される。
【符号の説明】
【００２５】
１、１Ａ、１Ｂ：ミキサ車、  ２：トラック、
３：荷台、        ４：油圧モータ支持台、
５：油圧モータ、      ６：ローラ、
７：回転ドラム支持台、    ８：駆動軸、
９：ローラリング、      １０：ブレード、
１１：回転ドラム、      １２：出入口、
１３：生コンクリート材料、  １４：支持台、
１５：ホッパー、      １６：生コンクリート、
１７：排出シュート、    １８：計量器、
１９：計量混練水タンク、    ２０、２０Ａ、２０Ｂ：支持バー、
２１：支柱、        ２２：混練材料、
２３：撹拌ブレード、    ２４：輸送袋、
２５：生コンクリート材料、  ２６：クレーン、
２７：水、        ２８：傾斜ブレード。
【図１】
2015024522.tif 000003
【図２】
2015024522.tif 000004
【図３】
2015024522.tif 000005
【図４】
2015024522.tif 000006
【図５】
2015024522.tif 000007
【図６】
2015024522.tif 000008
【図７】
2015024522.tif 000009
【図８】
2015024522.tif 000010
【図９】
2015024522.tif 000011
【図１０】
2015024522.tif 000012
【図１１】
2015024522.tif 000013
【図１２】
2015024522.tif 000014